(57)【要約】【課題】記録媒体に記録した画像を再生装置で再生する際の操作性を向上できるようにする。【解決手段】画像と、前記画像を撮影した撮像装置のユーザーインターフェイス情報とを取得する取得手段と、前記取得手段により取得されたユーザーインターフェイス情報に応じてアプリケーションプログラムを作成する作成手段と、前記取得手段により取得された画像と前記作成手段により作成されたアプリケーションプログラムとを記録媒体に記録する記録手段とを設け、前記記録媒体に記録した画像を再生装置で再生する時に、前記撮像装置と同等のユーザーインターフェイスを再生画像と一緒に表示することができるようにして、撮像装置のユーザーインターフェイスと同様に操作できるようにする。【選択図】図１
2013118509.tif 000002
【特許請求の範囲】
【請求項１】
画像と、前記画像を撮影した撮像装置のユーザーインターフェイス情報とを取得する取得手段と、
前記取得手段により取得されたユーザーインターフェイス情報に応じてアプリケーションプログラムを作成する作成手段と、
前記取得手段により取得された画像と前記作成手段により作成されたアプリケーションプログラムとを記録媒体に記録する記録手段とを備えることを特徴とする記録装置。
【請求項２】
前記ユーザーインターフェイス情報とは、撮影情報及び前記撮影情報の配置情報であることを特徴とする請求項１に記載の記録装置。
【請求項３】
前記撮影情報とは、前記撮像装置における撮像制御情報、撮影日時、記録モードのうち少なくとも１つを含むことを特徴とする請求項２に記載の記録装置。
【請求項４】
前記撮像制御情報とは、絞り、露出、シャッタースピード、ズーム位置のうち少なくとも１つを含むことを特徴とする請求項３に記載の記録装置。
【請求項５】
前記配置情報とは、位置情報と大きさ情報であることを特徴とする請求項２に記載の記録装置。
【請求項６】
前記ユーザーインターフェイス情報とは、操作ボタンであることを特徴とする請求項１〜５の何れか１項に記載の記録装置。
【請求項７】
前記操作ボタンとは、再生操作を行うためのボタンであることを特徴とする請求項６に記載の記録装置。
【請求項８】
前記ユーザーインターフェイス情報とは、前記撮像装置のユーザーインターフェイスの外観を表す画像であることを特徴とする請求項１〜７の何れか１項に記載の記録装置。
【請求項９】
前記ユーザーインターフェイス情報に応じてアプリケーションプログラムを作成するアプリケーションプログラム作成手段を備え、
前記取得手段は、前記ユーザーインターフェイス情報を所定時間毎に取得し、
前記アプリケーションプログラム作成手段は、所定時間毎に画像に重畳するユーザーインターフェイス情報を更新するアプリケーションプログラムを作成することを特徴とする請求項１に記載の記録装置。
【請求項１０】
複数の前記ユーザーインターフェイス情報の中から画像に重畳するユーザーインターフェイス情報を選択する選択手段を備え、
前記アプリケーションプログラム作成手段は、前記選択手段に選択されたユーザーインターフェイス情報を用いて前記画像に重畳するアプリケーションプログラムを作成することを特徴とする請求項９に記載の記録装置。
【請求項１１】
前記記録媒体とは、ブルーレイディスクであることを特徴とする請求項１〜１０の何れか１項に記載の記録装置。
【請求項１２】
前記アプリケーションプログラム作成手段により作成されるプログラムの言語は、Ｊａｖａ言語であることを特徴とする請求項９または１０に記載の記録装置。
【請求項１３】
画像と、前記画像を撮影した撮像装置のユーザーインターフェイス情報とを取得する取得工程と、
前記取得工程において取得されたユーザーインターフェイス情報に応じてアプリケーションプログラムを作成する作成工程と、
前記取得工程において取得された画像と前記作成工程において作成されたアプリケーションプログラムとを記録媒体に記録する記録工程とを備えることを特徴とする記録装置の制御方法。
【請求項１４】
画像と、前記画像を撮影した撮像装置のユーザーインターフェイス情報とを取得する取得工程と、
前記取得工程において取得されたユーザーインターフェイス情報に応じてアプリケーションプログラムを作成する作成工程と、
前記取得工程において取得された画像と前記作成工程において作成されたアプリケーションプログラムとを記録媒体に記録する記録工程とをコンピュータに実行させることを特徴とするプログラム。
【請求項１５】
請求項１４に記載のプログラムを記憶したことを特徴とするコンピュータ読み取り可能な記憶媒体。
【発明の詳細な説明】
【技術分野】
【０００１】
本発明は記録装置及び記録装置の制御方法に関し、特に、記録媒体に記録した画像を再生装置で再生する際に用いて好適な技術に関する。
【背景技術】
【０００２】
従来、動画を撮影し、音声と共に記録するビデオカメラが知られている。また、動画や音声を、ＤＶＤやブルーレイディスクといった記録媒体に記録するディスクライターが製品化されている（例えば、特許文献１参照）。ユーザーは、ディスクライターなどの記録装置を用いて、撮影した動画を光ディスクに記録し、ＤＶＤプレーヤーやブルーレイディスクプレーヤーといった再生装置で視聴することが可能となっている。
【先行技術文献】
【特許文献】
【０００３】
【特許文献１】特開２００３−１９６８３５号公報
【発明の概要】
【発明が解決しようとする課題】
【０００４】
前述のように、デジタルビデオカメラやデジタルカメラ等の撮像装置の記録媒体に記録されている映像を光ディスクに記録し、ディスクプレーヤーといった再生装置を用いて撮影した映像を視聴することが可能である。
【０００５】
しかし、このように光ディスクに記録した映像を再生する場合において、表示装置に表示されるユーザーインターフェイスは、一般的には、再生装置のユーザーインターフェイスとなる。これにより、映像を撮影した撮像装置のユーザーインターフェイスとは異なるユーザーインターフェイスとなってしまう。
【０００６】
そのため、撮像装置のユーザーインターフェイスに慣れたユーザーにとっては、表示される文字、画像及びボタン等のレイアウトが慣れた撮像装置と異なるため、表示されている情報が何を表しているのか把握するまでに時間がかかるといった課題があった。
本発明は前述の問題点を鑑みてなされたものであり、記録媒体に記録した画像を再生装置で再生する際の操作性を向上できるようにすることを目的とする。
【課題を解決するための手段】
【０００７】
本発明の記録装置は、画像と、前記画像を撮影した撮像装置のユーザーインターフェイス情報とを取得する取得手段と、前記取得手段により取得されたユーザーインターフェイス情報に応じてアプリケーションプログラムを作成する作成手段と、前記取得手段により取得された画像と前記作成手段により作成されたアプリケーションプログラムとを記録媒体に記録する記録手段とを備えることを特徴とする。
【発明の効果】
【０００８】
本発明によれば、記録媒体に記録した画像の再生時に、映像が再生された撮像装置のユーザーインターフェイスと同等のインターフェイスを表示することにより、ユーザーが撮影情報を把握し易くなり、再生装置の操作がし易くなる効果が得られる。
【図面の簡単な説明】
【０００９】
【図１】第１の実施形態の画像記録装置の構成例を示すブロック図である。
【図２】撮像装置の構成例を示すブロック図である。
【図３】カメラ部の構成例を示すブロック図である。
【図４】カメラ制御情報の一例を示す図である。
【図５】撮像装置の撮影時のユーザーインターフェイスを示す図である。
【図６】撮像装置の再生時のユーザーインターフェイスを示す図である。
【図７】再生装置で再生した場合に表示される映像の例を示した図である。
【図８】再生装置で再生した場合に表示される映像の例を示した図である。
【図９】再生装置で再生した場合に表示される映像の例を示した図である。
【図１０】第１の実施形態の画像記録装置の動作を示すフローチャートである。
【図１１】第２の実施形態の画像記録装置の構成例を示すブロック図である。
【図１２】第２の実施形態の画像記録装置の動作を示すフローチャートである。
【発明を実施するための形態】
【００１０】
以下、図面を参照しながら本発明の好適な実施の形態について説明する。
（第１の実施形態）
図１は、本発明の第１の実施形態による画像記録装置の構成例を示すブロック図である。本発明の第１の実施形態における画像記録装置は、符号化画像とアプリケーションプログラムを記録する画像記録装置である。以下、本実施形態の画像記録装置の構成例について図１を参照して説明する。
【００１１】
撮像装置１０１は、被写体光を撮像して生成した映像を記録する。また、撮像データとして、レイアウト情報、撮影情報及び符号化画像を出力する。撮像装置１０１の詳細は後述する。
画像記録装置１０２は、撮像データ受信部１０３、レイアウト情報取得部１０４、撮影情報取得部１０５、符号化画像取得部１０６、アプリケーション作成部１０７、記録イメージデータ作成部１０８、記録部１０９及び記録媒体１１０を有する。尚、画像記録装置１０２が記録に用いる記録媒体１１０は、書き込み可能なブルーレイディスク（ＢＤ−Ｒ又はＢＤ−ＲＥ）として説明する。
【００１２】
撮像データ受信部１０３は、撮像装置１０１から出力される撮像データを受信し、ユーザーインターフェイス情報を取得するユーザーインターフェイス情報取得処理を行う。レイアウト情報取得部１０４は、撮像データ受信部１０３が受信した撮像データに含まれるレイアウト情報を取得する。撮影情報取得部１０５は、撮像データ受信部１０３が受信した撮像データに含まれる撮影情報を取得する。レイアウト情報及び撮影情報については後述する。
【００１３】
符号化画像取得部１０６は、撮像データ受信部１０３が受信した撮像データに含まれる符号化画像を取得する。本実施形態においては、符号化画像として動画の場合を例に説明するが、静止画でもよい。アプリケーション作成部１０７は、レイアウト情報取得部１０４により取得したレイアウト情報と撮影情報取得部１０５により取得した撮影情報に応じてアプリケーションプログラムを作成する。アプリケーションプログラムの言語としては、例えば、Ｊａｖａ(登録商標）言語が挙げられる。
【００１４】
記録イメージデータ作成部１０８は、アプリケーション作成部１０７により作成されたアプリケーションプログラムと符号化画像取得部１０６により取得された符号化画像を入力し、記録媒体１１０のフォーマットに準拠するような記録イメージデータを作成する。例えば、ブルーレイディスクフォーマットに準拠するような記録イメージデータを作成する。
【００１５】
記録部１０９は、記録イメージデータ作成部１０８により作成された記録イメージデータを記録媒体１１０に記録する。具体的には、ブルーレイディスクに書き込み可能な光学ディスクドライブとその制御部である。記録媒体１１０は、書き込み可能なブルーレイディスク（ＢＤ−Ｒ又はＢＤ−ＲＥ）である。
【００１６】
ここで、ブルーレイディスク規格におけるアプリケーションレイヤーについて説明する。ブルーレイディスクには、映像の他にＪａｖａ言語のアプリケーションプログラムを記録することが可能である。Ｊａｖａ言語のアプリケーションプログラムを記録したブルーレイディスクをブルーレイディスク対応の再生装置を用いて再生すると、ブルーレイディスクに記録されているＪａｖａアプリケーションが実行される。
【００１７】
Ｊａｖａアプリケーションが実行されることにより、映像に新たな画像を重畳し、表示することや、再生装置の動作を選択する操作ボタンを表示することができる。このような操作ボタンは、再生装置に付属しているリモコンやマウスといった指示デバイスを使用し、ユーザーが表示される操作ボタンを選択することにより、例えば、映像の再生を開始することや音を鳴らすことが可能である。
【００１８】
次に、撮像装置１０１の構成例について、図２を参照して詳しく説明する。
（撮像装置１０１）
撮像装置１０１は、カメラ部２０１、符号化部２０２、符号化画像記録部２０３、復号化部２０４、映像選択部２０５、撮影情報記録部２０６、レイアウト情報記録部２０７などを有する。また、表示画像作成部２０８、画像表示部２０９、表示情報作成部２１０、情報表示部２１１、操作ボタン部２１２及び撮像データ送信部２１３を有する。
【００１９】
続いて、撮像装置１０１の動作について説明する。
まず、カメラ部２０１は、被写体光を撮像し、映像信号とカメラ制御情報を出力する。符号化部２０２は、カメラ部２０１から出力された映像信号を圧縮符号化する。圧縮符号化方式は、例えば、ＭＰＥＧ方式やＨ．２６４方式などを用いる。符号化画像記録部２０３は、符号化部２０２から出力された符号化画像を記録する。
【００２０】
復号化部２０４は、符号化画像記録部２０３に記録されている符号化画像を伸張復号化し、復号化画像を出力する。映像選択部２０５は、撮影時においては、カメラ部２０１から出力される映像信号を選択し、出力する。また、再生時においては、復号化部２０４から出力される復号化画像を選択し、出力する。
【００２１】
撮影情報記録部２０６は、撮影情報を記録する。撮影情報とは、例えば、後述のカメラ制御情報（撮像制御情報）と撮影日時及び記録モードに係る情報である。撮影日時は、撮影を開始した日時である。記録モードは、符号化部２０２で符号化される映像データのビットレートを指定するものである。例えば、符号化ビットレートが１５Ｍｂｐｓの場合の記録モードは、ＸＰであり、符号化ビットレートが９Ｍｂｐｓの場合の記録モードは、ＳＰであり、符号化ビットレートが６Ｍｂｐｓの場合の記録モードは、ＬＰである。
【００２２】
レイアウト情報記録部２０７は、レイアウト情報が記録されている。レイアウト情報とは、画像表示部２０９に撮影した映像以外に表示する画像及び文字の表示位置座標や大きさといった配置情報である。具体的には、図５におけるズーム位置５０３のような画像とその画像の表示位置座標及び大きさや撮影日時５０４のような文字の表示位置座標及び大きさである。
【００２３】
また、レイアウト情報には、後述のユーザーインターフェイス部２１４の外観が雛型画像として記録されている。この雛型画像は、画像記録装置１０２において、アプリケーションを作成するために使われる。レイアウト情報は、所定のレイアウト情報だけ記録するのではなく、ユーザー好みのレイアウト情報を記録するようにしてもよい。例えば、ユーザーが表示したい情報のみを選択し、その選択された情報のレイアウト情報のみを記録する。
【００２４】
図２に戻り、表示画像作成部２０８は、撮影情報記録部２０６に記録されている撮影情報をレイアウト情報記録部２０７に記録されているレイアウト情報に従って、復号化部２０４により復号化された復号化画像に重畳する。これにより、画像表示部２０９に表示する画像が作成される。
【００２５】
画像表示部２０９は、撮影された画像及び撮影情報を表示する表示部であり、表示画像作成部２０８により作成された画像を表示する。表示情報作成部２１０は、撮影情報記録部２０６に記録されている撮影情報に従って、情報表示部２１１に表示する文字や画像を作成する。
【００２６】
情報表示部２１１は、撮影情報のみを表示する表示部であり、表示情報作成部２１０により作成された撮影情報に関する文字や画像を表示する。操作ボタン部２１２は、再生時において、再生、停止、一時停止、早送り及び巻き戻しの再生操作を行うために、ユーザーにより押下されるボタンである。撮像データ送信部２１３は、撮影情報記録部２０６に記録されている撮影情報と、レイアウト情報記録部２０７に記録されているレイアウト情報と、符号化画像記録部２０３に記録されている符号化画像を取得し、外部接続機器へ送信を行う。
【００２７】
外部機器との接続は、例えばＵＳＢインターフェイスを用いた接続が挙げられる。画像表示部２０９、情報表示部２１１、操作ボタン部２１２をまとめてユーザーインターフェイス部２１４が構成される。
【００２８】
次に、カメラ部２０１、ユーザーインターフェイス部２１４について詳しく説明する。
（カメラ部２０１）
まず、カメラ部２０１の構成例について、図３及び図４を参照して詳しく説明する。
図３は、カメラ部２０１の構成例を示すブロック図である。図３に示すように、カメラ部２０１は、レンズ３０１、撮像部３０２、Ａ／Ｄ（アナログ−ディジタル）変換部３０３、カメラ信号処理部３０４、カメラ制御部３０５から構成され、被写体光を撮像し、映像信号とカメラ制御情報を出力する。
【００２９】
続いて、カメラ部２０１の動作について説明する。
まず始めに、レンズ３０１は、被写体光を撮像部３０２に導く。レンズ３０１は、カメラ制御部３０５から出力される制御信号に対応してズーム動作、絞りの開閉動作や被写体に対して焦点整合動作などを行う。撮像部３０２は、ＣＣＤやＣＭＯＳ等を使って被写体を撮像し、得られた被写体光を電気信号に変換する。また、カメラ制御部３０５から出力されるシャッタースピード制御信号に対応して露光時間を変更する。
【００３０】
Ａ／Ｄ変換部３０３は、アナログ信号をディジタル信号に変換する。カメラ信号処理部３０４は、Ａ／Ｄ変換部３０３より出力されたディジタル信号に対して、γ補正、露出調整やホワイトバランス等の処理を行い、映像信号を出力する。カメラ制御部３０５は、カメラ部２０１の全体を制御するためのカメラ制御情報を出力する。カメラ制御情報とは、例えば、図４のようなカメラ部２０１を構成する各モジュールを制御するための制御データである。
【００３１】
レンズ３０１の制御データからは、ズーム位置や絞り値のカメラ制御情報が得られ、撮像部３０２の制御データからは、シャッタースピードのカメラ制御情報が得られ、カメラ信号処理部３０４の制御データからは、露出のカメラ制御情報が得られる。カメラ部２０１は、このようなカメラ制御情報を撮影時に所定時間毎に撮影情報記録部２０６に出力する。図４の例では、所定時間は１秒としている。
【００３２】
次に、図５及び図６を参照して、ユーザーインターフェイス部２１４について詳しく説明する。
図５及び図６は、ユーザーインターフェイス部２１４の外観図である。ユーザーインターフェイス部２１４は、画像表示部２０９、情報表示部２１１及び操作ボタン部２１２から構成される。図５は、図４において、記録時間００：００：０３における撮影時のユーザーインターフェイス部２１４を表し、図６は、図４において、記録時間００：００：１８における再生時のユーザーインターフェイス部２１４を表す。
【００３３】
まず、図５を参照して撮影時のユーザーインターフェイス部２１４について説明する。
画像表示部２０９には、図５のように、撮影されている人の画像以外に、記録時間５０１、記録モード５０２、ズーム位置５０３、撮影日時５０４といった撮影情報が表示されている。
【００３４】
これらの撮影情報は、それぞれの撮影情報に対応するレイアウト情報に従って復号化画像に重畳され、表示されている。例えば、記録モード５０２は、撮影情報に含まれる記録モード（この例では、ＸＰ）をレイアウト情報に含まれる表示位置座標と大きさに従って画像表示部２０９の右上に表示されている。また、ズーム位置５０３は、撮影情報に含まれるズーム位置（この例では、ズーム位置７）をレイアウト情報に含まれる表示位置座標と大きさに従って画像表示部２０９の左上に表示されている。同様に、記録時間５０１は、右上に表示され、撮影日時５０４は、左下に表示されている。
【００３５】
情報表示部２１１には、シャッタースピード５０５、露出５０６及び絞り値５０７が表示されている。これらの値は、撮影情報記録部２０６に記録されている撮影情報に従って表示されている。図５の例では、記録時間が００：００：０３なので、図４における記録時間００：００：０３の撮影情報の値が表示されている。尚、撮影時は、操作ボタン部２１２は無効となっており、押下したとしても動作はしない。
【００３６】
次に、図６を参照して再生時のユーザーインターフェイス部２１４の表示について説明する。
画像表示部２０９には、図６のように、再生している人の画像以外に、記録時間５０１、記録モード５０２及び撮影日時５０４といった撮影情報が表示されている。これらの撮影情報は、それぞれの撮影情報に対応するレイアウト情報に従って復号化画像に重畳され、表示されている。情報表示部２１１は、再生時は、何も表示されない。
【００３７】
操作ボタン部２１２は、再生一時停止ボタン６０１、巻き戻しボタン６０２、早送りボタン６０３及び停止ボタン６０４から構成されている。撮像装置１０１は、ユーザーによる操作ボタンの押下により、それぞれ再生又は一時停止、巻き戻し、早送り、停止といった動作を行う。
以上が撮像装置１０１に関する説明である。
【００３８】
次に、図１のアプリケーション作成部１０７について図７、図８及び図９を参照して詳しく説明する。
アプリケーション作成部１０７は、撮像装置１０１のユーザーインターフェイス部２１４と同等のユーザーインターフェイス表示を行うためのアプリケーションプログラムを作成するアプリケーションプログラム作成処理を行う。本実施形態においては、レイアウト情報取得部１０４により取得したレイアウト情報と撮影情報取得部１０５により取得した撮影情報に応じて作成する。アプリケーション作成部１０７で作成されたアプリケーションプログラムは、ブルーレイディスクフォーマットで記録媒体１１０に記録され、その記録媒体１１０をブルーレイディスク対応の再生装置で再生すると、アプリケーションプログラムが実行される。
【００３９】
まず、図７を参照して、撮像装置１０１に搭載されるユーザーインターフェイス部２１４と同等のユーザーインターフェイス表示を行うアプリケーションプログラムについて説明する。
図７は、図５における画像表示部２０９と同等のユーザーインターフェイス表示を行うアプリケーションプログラム及び符号化画像を記録した記録媒体１１０をブルーレイディスク対応再生装置で再生した場合に表示される映像の例を示した図である。
【００４０】
図７では、撮影された人の画像に、記録時間７０１、記録モード７０２、ズーム位置７０３及び撮影日時７０４といった撮影情報が重畳され、表示されている例を示している。つまり、記録媒体１１０に記録されている画像を再生中に、撮像装置１０１を用いて撮影を行っている際の画像表示部２０９と同等のユーザーインターフェイスを表示している。これらの撮影情報は、アプリケーション作成部１０７により作成されたアプリケーションプログラムにより画像に重畳され、表示されている。
【００４１】
例えば、アプリケーション作成部１０７は、ズーム位置７０３を画像に重畳して表示できるようなアプリケーションプログラムを作成する。レイアウト情報取得部１０４により取得されたズーム位置の表示位置座標と大きさ及び撮影情報取得部１０５により取得されたズーム位置情報に応じる。図４の撮影情報のように、記録時間１秒毎に撮影情報があるとすると、表示されるズーム位置も１秒ごとに更新されるようなアプリケーションプログラムを作成する。
【００４２】
次に、図８を参照して、撮像装置１０１に搭載されるユーザーインターフェイス部２１４と同等のユーザーインターフェイス表示を行うアプリケーションプログラムについて説明する。
図８は、図５の画像表示部２０９及び情報表示部２１１と同等のユーザーインターフェイス表示を行うアプリケーションプログラム、及び符号化画像を記録した記録媒体をブルーレイディスク対応再生装置で再生した場合に表示される映像の例を示した図である。
【００４３】
図８では、撮影された人の画像に、画像表示部２０９のユーザーインターフェイスを示す画像表示部雛型画像８０１、情報表示部２１１のユーザーインターフェイスを示す情報表示部雛型画像８０２が重畳される。さらに撮影情報として、記録時間７０１、記録モード７０２、ズーム位置７０３、撮影日時７０４、シャッタースピード８０３、露出８０４、絞り値８０５が重畳され、表示されている例を示している。
【００４４】
つまり、記録媒体１１０に記録されている画像を再生中に、撮像装置１０１を用いて撮影を行っている際の画像表示部２０９に表示されている画像、及び情報表示部２１１と同等のユーザーインターフェイスを表示している。これらの雛型画像及び撮影情報は、アプリケーション作成部１０７により作成されたアプリケーションプログラムにより画像に重畳され、表示されている。
【００４５】
次に、図９を参照して、撮像装置１０１に搭載されるユーザーインターフェイス部２１４と同等のユーザーインターフェイス表示を行うアプリケーションプログラムについて説明する。
図９は、図６の画像表示部２０９及び操作ボタン部２１２と同等のユーザーインターフェイス表示を行うアプリケーションプログラム、及び符号化画像を記録した記録媒体をブルーレイディスク対応再生装置で再生した場合に表示される映像の例を示した図である。
【００４６】
図９では、撮影された人の画像に、画像表示部２０９のユーザーインターフェイスを示す画像表示部雛型画像８０１、操作ボタン部２１２のユーザーインターフェイスを示す操作ボタン雛型画像９０１が重畳される。さらに撮影情報として、記録時間７０１、記録モード７０２及び撮影日時７０４が重畳され、表示されている例を示している。
【００４７】
つまり、記録媒体１１０に記録されている画像を再生中に、撮像装置１０１を用いて再生を行っている際の画像表示部２０９及び操作ボタン部２１２と同等のユーザーインターフェイスを表示している。これらの雛型画像及び撮影情報は、アプリケーション作成部１０７により作成されたアプリケーションプログラムにより画像に重畳され、表示されている。
【００４８】
また、操作ボタン雛型画像９０１には、再生一時停止ボタン９０２、巻き戻しボタン９０３、早送りボタン９０４及び停止ボタン９０５がある。これらのボタンは、アプリケーション作成部１０７が作成されたアプリケーションプログラムによって表示されている。ブルーレイディスク対応再生装置に搭載されている指示デバイスによりそれぞれのボタンを選択すると、再生装置が所定の動作を行うようなアプリケーションプログラムである。
【００４９】
以上のように、本実施形態においては、記録媒体１１０に記録されたデータを再生する場合でも、撮像装置１０１に搭載されるユーザーインターフェイス部２１４と同等のユーザーインターフェイスで撮影情報や操作ボタンの表示を行うようにした。これにより、ユーザーは、短時間で撮影情報を把握することが可能となり、操作を容易に行うことができる。
【００５０】
図８のようなユーザーインターフェイス表示では、操作ボタン部２１２と同等のユーザーインターフェイス表示は行われていないが、操作ボタン部２１２と同等のユーザーインターフェイス表示を行ってもよい。同様に、図９のようなユーザーインターフェイス表示では、情報表示部２１１と同等のユーザーインターフェイス表示は行われていないが、情報表示部２１１と同等のユーザーインターフェイス表示を行ってもよい。
【００５１】
また、アプリケーション作成部１０７は、例えば、図７、図８及び図９の表示形態のうち、どの表示形態にするかは、ユーザーが選択できるようなアプリケーションプログラムを作成してもよい。
【００５２】
また、１つの記録媒体１１０に複数の撮像装置１０１の符号化画像を記録する場合は、それぞれの撮像装置のユーザーインターフェイスを表示するために、複数のアプリケーションプログラムを作成してもよい。この場合、記録媒体１１０に記録した画像を再生する時は、再生される画像が撮影された撮像装置のユーザーインターフェイスを表示するためのアプリケーションプログラムが実行される。そのため、再生される映像により、ユーザーインターフェイスが変更されることがある。
【００５３】
次に、図１０を参照して、画像記録装置１０２において、符号化画像及びアプリケーションプログラムを記録媒体１１０に記録する処理について説明する。
Ｓ１００１において、撮像データ受信部１０３は、撮像データを受信する。次に、Ｓ１００２において、レイアウト情報取得部１０４は、撮像データ受信部１０３よりレイアウト情報を取得する。
【００５４】
また、Ｓ１００３において、撮影情報取得部１０５は、撮像データ受信部１０３より撮影情報を取得する。Ｓ１００４において、アプリケーション作成部１０７は、撮影情報、操作ボタン及びユーザーインターフェイスの外観を示す雛型画像を画像に重畳表示するためのアプリケーションプログラムを作成する。このアプリケーションプログラムの作成処理は、レイアウト情報取得部１０４により取得されたレイアウト情報と、撮影情報取得部１０５により取得された撮影情報に応じて行なわれる。
【００５５】
Ｓ１００５において、符号化画像取得部１０６は、撮像データ受信部１０３より符号化画像を取得する。Ｓ１００６において、記録イメージデータ作成部１０８は、Ｓ１００４で作成されたアプリケーションプログラムと、Ｓ１００５で取得された符号化画像とを重畳するユーザーインターフェイス画像重畳処理を行う。そして、記録媒体１１０のフォーマット（例えば、ブルーレイディスクフォーマット）に準拠するような記録イメージデータを作成する。本実施形態においては、前述の記録イメージデータは、撮像装置のユーザーインターフェイス情報が重畳された画像データとなる。そして、Ｓ１００７において、記録部１０９は、Ｓ１００６で記録イメージデータ作成部１０８により作成された記録イメージデータを記録媒体１１０に記録する。
【００５６】
（第２の実施形態）
図１１は、本発明の第２の実施形態による画像記録装置の構成例を示すブロック図である。本発明の第２の実施形態における画像記録装置は、符号化画像、レイアウト情報、撮影情報及びアプリケーションプログラムを記録する画像記録装置である。以下、本発明の構成例について図１１を参照して説明する。尚、第１の実施形態と同じ符号のものは第１の実施形態と同様の動作、処理を行い説明は省略する。
【００５７】
画像記録装置１１０１は、撮像データ受信部１０３、レイアウト情報取得部１０４、撮影情報取得部１０５、符号化画像取得部１０６、アプリケーション作成部１１０２、記録イメージデータ作成部１１０３、記録部１０９及び記録媒体１１０を有する。尚、画像記録装置１１０１が記録に用いる記録媒体１１０は、書き込み可能なブルーレイディスク（ＢＤ−Ｒ又はＢＤ−ＲＥ）として説明する。
【００５８】
アプリケーション作成部１１０２は、アプリケーションプログラムを作成する。アプリケーション作成部１１０２の詳細については後述する。記録イメージデータ作成部１１０３は、記録媒体１１０のフォーマット（例えば、ブルーレイディスクフォーマット）に準拠するような記録イメージデータを作成する。この処理は、レイアウト情報取得部１０４で取得したレイアウト情報、撮影情報取得部１０５で取得した撮影情報、符号化画像取得部１０６で取得された符号化画像、アプリケーション作成部１１０２で作成されたアプリケーションプログラムを入力して行なわれる。
【００５９】
次に、アプリケーション作成部１１０２について詳細に説明する。
アプリケーション作成部１１０２は、撮像装置１０１のユーザーインターフェイス部２１４と同等のユーザーインターフェイス表示を行うためのアプリケーションプログラムを作成する。具体的には、アプリケーション作成部１１０２は、記録媒体１１０に記録されているレイアウト情報、撮影情報及び符号化画像を関連付け、それぞれの撮影情報に対応するレイアウト情報に従って画像に重畳するようなアプリケーションプログラムを作成する。
【００６０】
アプリケーション作成部１１０２で作成されたアプリケーションプログラムは、ブルーレイディスクフォーマットで記録媒体１１０に記録され、その記録媒体１１０をブルーレイディスク対応の再生装置で再生すると実行される。アプリケーションプログラムが実行されると、撮像装置１０１のユーザーインターフェイス部２１４と同等のユーザーインターフェイスが表示される。
【００６１】
次に、図１２を参照して、画像記録装置１１０１において、レイアウト情報、撮影情報、符号化画像及びアプリケーションプログラムを記録媒体１１０に記録する処理について説明する。
【００６２】
Ｓ１００１において、撮像データ受信部１０３は、撮像データを受信する。Ｓ１２０１において、アプリケーション作成部１１０２は、記録媒体１１０に記録されたレイアウト情報及び撮影情報に応じて、撮影情報、操作ボタン及び雛型画像を画像に重畳表示するためのアプリケーションプログラムを作成する。
【００６３】
Ｓ１００２において、レイアウト情報取得部１０４は、撮像データ受信部１０３よりレイアウト情報を取得する。また、Ｓ１００３において、撮影情報取得部１０５は、撮像データ受信部１０３より撮影情報を取得する。Ｓ１００５において、符号化画像取得部１０６は、撮像データ受信部１０３より符号化画像を取得する。
【００６４】
Ｓ１２０２において、記録イメージデータ作成部１１０３は、記録媒体１１０のフォーマット（例えば、ブルーレイディスクフォーマット）に準拠するような記録イメージデータを作成する。この作成処理は、Ｓ１２０１で作成されたアプリケーションプログラム、Ｓ１００２で取得されたレイアウト情報、Ｓ１００３で取得された撮影情報及びＳ１００５で取得された符号化画像を入力して行なわれる。Ｓ１００７において、記録部１０９は、Ｓ１２０２で記録イメージデータ作成部１１０３により作成された記録イメージデータを記録媒体１１０に記録する。
【００６５】
前述した実施形態によれば、画像記録装置に接続される撮像装置から取得した撮影情報及びレイアウト情報に応じて、アプリケーションプログラムを作成し、作成したアプリケーションプログラムを画像と共に記録媒体に記録する。これにより、記録媒体に記録された画像を再生する時に、撮像装置と同等のユーザーインターフェイスを表示することができる。そのため、従来のように記録媒体に記録した画像を再生する時のユーザーインターフェイスと、撮像装置のユーザーインターフェイスとが異なる場合と比較して、ユーザーが撮影情報を把握し易くなり、操作し易くなるといった効果が得られる。
【００６６】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００６７】
１０１  撮像装置、１０２  画像記録装置、１０３  撮像データ受信部、１０４  レイアウト情報取得部、１０５  撮影情報取得部、１０６  符号化画像取得部、１０７  アプリケーション作成部、１０８  記録イメージデータ作成部、１０９  記録部、１１０  記録媒体
【図１】
2013118509.tif 000003
【図２】
2013118509.tif 000004
【図３】
2013118509.tif 000005
【図４】
2013118509.tif 000006
【図５】
2013118509.tif 000007
【図６】
2013118509.tif 000008
【図７】
2013118509.tif 000009
【図８】
2013118509.tif 000010
【図９】
2013118509.tif 000011
【図１０】
2013118509.tif 000012
【図１１】
2013118509.tif 000013
【図１２】
2013118509.tif 000014